(57)【特許請求の範囲】
【請求項１】
少なくとも１つのネットワーク・エンティティによるイボルブド・マルチメディア・ブロードキャスト・マルチキャスト・サービス（ｅＭＢＭＳ）のための単一キャリア最適化のための方法であって、
ラジオ・スペクトルのサブフレームにおいて、単一周波数ネットワーク（ＭＢＳＦＮ）送信を介したマルチメディア・ブロードキャストのために、第１のセットのリソース要素（ＲＥ）を割り当てることと、ここで、各シンボルは、第１のサイクリック・プレフィクス（ＣＰ）タイプを有する前記第１のセットの各ＲＥに対応する、
ユニキャスト送信のために、第２のセットのＲＥを割り当てることと、ここで、各シンボルは、第２のＣＰタイプを有する第２のセットの各ＲＥに対応する、
前記第１のＣＰタイプと前記第２のＣＰタイプとが同じであるか否かを判定することと、
前記第１のＣＰタイプと前記第２のＣＰタイプとが同じであることに応じて、前記割り当てられた第１のセットのＲＥおよび第２のセットＲＥにしたがって、前記サブフレーム内において、前記ＭＢＳＦＮ送信と前記ユニキャスト送信とを結合することと、ここで、前記ＭＢＳＦＮ送信と前記ユニキャスト送信とを結合することは、ユニキャスト・セル特有の基準信号（ＣＲＳ）のないシンボルでＭＢＳＦＮ基準信号を送信することを備える、
を備える方法。
【請求項２】
前記ＭＢＳＦＮ送信と前記ユニキャスト送信とを結合することは、ユニキャストＣＲＳのないシンボルでＭＢＳＦＮ信号を送信することをさらに備える、請求項１に記載の方法。
【請求項３】
ユニキャスト基準信号によって使用されていない所与のシンボルへ、ＭＢＳＦＮ基準信号のうちの所与の１つをシフトさせること、をさらに備える請求項２に記載の方法。
【請求項４】
ＭＢＳＦＮ基準信号のないシンボルでユニキャスト基準信号を送信すること、をさらに備える請求項２に記載の方法。
【請求項５】
ＭＢＳＦＮ基準信号によって使用されていない所与のシンボルへ、ユニキャスト基準信号のうちの所与の１つをシフトさせること、をさらに備える請求項４に記載の方法。
【請求項６】
所与のＭＢＳＦＮ送信を備える共有コンテンツを、複数のモバイル・エンティティにブロードキャストすること、をさらに備える請求項１に記載の方法。
【請求項７】
物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信すること、をさらに備える請求項６に記載の方法。
【請求項８】
前記ＭＢＳＦＮ送信に参加するネットワーク・エンティティのためのページング、ＳＩＢ、およびＰＢＣＨのうちの少なくとも１つのために使用されるＲＢを識別することと、
前記識別されたＲＢを、前記ＭＢＳＦＮ送信から除外することと、をさらに備える請求項７に記載の方法。
【請求項９】
前記ＰＢＣＨ、前記ＳＩＢ、および前記ページングのうちの少なくとも１つのために使用されるＲＢに、少なくとも１つの追加のＲＢを加えることをさらに備え、前記少なくとも１つの追加のＲＢは、ＣＲＳ送信に専用である、請求項７に記載の方法。
【請求項１０】
前記ブロードキャストすることは、少なくとも１つのイボルブド・ノードＢ（ｅＮＢ）から複数のユーザ機器（ＵＥ）へと、前記共有コンテンツをブロードキャストすることを備える、請求項６に記載の方法。
【請求項１１】
前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実施すること、をさらに備える請求項１に記載の方法。
【請求項１２】
イボルブド・マルチメディア・ブロードキャスト・マルチキャスト・サービス（ｅＭＢＭＳ）のための単一キャリア最適化のための装置であって、
ラジオ・スペクトルのサブフレームにおいて、単一周波数ネットワーク（ＭＢＳＦＮ）送信を介したマルチメディア・ブロードキャストのために、第１のセットのリソース要素（ＲＥ）を割り当て、ここで、各シンボルは、第１のサイクリック・プレフィクス（ＣＰ）タイプを有する前記第１のセットの各ＲＥに対応する、
ユニキャスト送信のために、第２のセットのＲＥを割り当て、ここで、各シンボルは、第２のＣＰタイプを有する第２のセットの各ＲＥに対応する、
前記第１のＣＰタイプと前記第２のＣＰタイプとが同じであるか否かを判定し、
前記第１のＣＰタイプと前記第２のＣＰタイプとが同じであることに応じて、前記割り当てられた第１のセットのＲＥと第２のセットのＲＥとにしたがって、前記サブフレーム内において、前記ＭＢＳＦＮ送信と前記ユニキャスト送信とを結合する、ここで、前記ＭＢＳＦＮ送信と前記ユニキャスト送信とを結合することは、ユニキャスト・セル特有の基準信号（ＣＲＳ）のないシンボルでＭＢＳＦＮ基準信号を送信することを備える、
ように構成された少なくとも１つのプロセッサと、
前記少なくとも１つのプロセッサに接続されたメモリと、を備える装置。
【請求項１３】
前記少なくとも１つのプロセッサは、ユニキャストＣＲＳのないシンボルでＭＢＳＦＮ信号をさらに送信することによって、前記ＭＢＳＦＮ送信と前記ユニキャスト送信とを結合する、請求項１２に記載の装置。
【請求項１４】
前記少なくとも１つのプロセッサは、ユニキャスト基準信号によって使用されていない所与のシンボルへ、ＭＢＳＦＮ基準信号のうちの所与の１つをシフトさせる、請求項１３に記載の装置。
【請求項１５】
前記少なくとも１つのプロセッサは、ＭＢＳＦＮ基準信号のないシンボルでユニキャスト基準信号を送信する、請求項１３に記載の装置。
【請求項１６】
前記少なくとも１つのプロセッサは、ＭＢＳＦＮ基準信号によって使用されていない所与のシンボルへ、ユニキャスト基準信号のうちの所与の１つをシフトさせる、請求項１５に記載の装置。
【請求項１７】
前記少なくとも１つのプロセッサは、所与のＭＢＳＦＮ送信を備える共有コンテンツを、複数のモバイル・エンティティにブロードキャストする、請求項１２に記載の装置。
【請求項１８】
前記少なくとも１つのプロセッサは、物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信する、請求項１７に記載の装置。
【請求項１９】
前記少なくとも１つのプロセッサは、
前記ＭＢＳＦＮ送信に参加するネットワーク・エンティティのためのページング、ＳＩＢ、およびＰＢＣＨのうちの少なくとも１つのために使用されるＲＢを識別し、
前記識別されたＲＢを、前記ＭＢＳＦＮ送信から除外する、請求項１８に記載の装置。
【請求項２０】
前記少なくとも１つのプロセッサは、前記ＰＢＣＨ、前記ＳＩＢ、および前記ページングのうちの少なくとも１つのために使用されるＲＢに、少なくとも１つの追加のＲＢを加え、前記少なくとも１つの追加のＲＢは、ＣＲＳ送信に専用である、請求項１８に記載の装置。
【請求項２１】
前記少なくとも１つのプロセッサは、前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実施する、請求項１２に記載の装置。
【請求項２２】
イボルブド・マルチメディア・ブロードキャスト・マルチキャスト・サービス（ｅＭＢＭＳ）のための単一キャリア最適化のための装置であって、
単一周波数ネットワーク（ＭＢＳＦＮ）送信を介したマルチメディア・ブロードキャストのために、第１のセットのリソース要素（ＲＥ）を割り当てる手段と、ここで、各シンボルは、第１のサイクリック・プレフィクス（ＣＰ）タイプを有する前記第１のセットの各ＲＥに対応する、
ユニキャスト送信のために、第２のセットのＲＥを割り当てる手段と、ここで、各シンボルは、第２のＣＰタイプを有する第２のセットの各ＲＥに対応する、
前記第１のＣＰタイプと前記第２のＣＰタイプとが同じであるか否かを判定する手段と、
前記第１のＣＰタイプと前記第２のＣＰタイプとが同じであることに応じて、前記割り当てられた第１のセットのＲＥと第２のセットのＲＥとにしたがって、ラジオ・スペクトルのサブフレーム内において、前記ＭＢＳＦＮ送信と前記ユニキャスト送信とを結合する手段と、ここで、前記ＭＢＳＦＮ送信と前記ユニキャスト送信とを結合する手段は、ユニキャスト・セル特有の基準信号（ＣＲＳ）のないシンボルでＭＢＳＦＮ基準信号を送信する手段を備える、
を備える装置。
【請求項２３】
ユニキャストＣＲＳがないシンボルでＭＢＳＦＮ信号を送信する手段、をさらに備える請求項２２に記載の装置。
【請求項２４】
ユニキャスト基準信号によって使用されていない所与のシンボルへ、ＭＢＳＦＮ基準信号のうちの所与の１つをシフトさせる手段、をさらに備える請求項２３に記載の装置。
【請求項２５】
ＭＢＳＦＮ基準信号のないシンボルでユニキャスト基準信号を送信する手段、をさらに備える請求項２３に記載の装置。
【請求項２６】
ＭＢＳＦＮ基準信号によって使用されていない所与のシンボルへ、ユニキャスト基準信号のうちの所与の１つをシフトさせる手段、をさらに備える請求項２５に記載の装置。
【請求項２７】
所与のＭＢＳＦＮ送信を備える共有コンテンツを、複数のモバイル・エンティティにブロードキャストする手段、をさらに備える請求項２２に記載の装置。
【請求項２８】
物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信する手段、をさらに備える請求項２７に記載の装置。
【請求項２９】
前記ＭＢＳＦＮ送信に参加するネットワーク・エンティティのためのページング、ＳＩＢ、およびＰＢＣＨのうちの少なくとも１つのために使用されるＲＢを識別する手段と、
前記識別されたＲＢを、前記ＭＢＳＦＮ送信から除外する手段と、をさらに備える請求項２８に記載の装置。
【請求項３０】
前記ＰＢＣＨ、前記ＳＩＢ、および前記ページングのうちの少なくとも１つのために使用されるＲＢに、少なくとも１つの追加のＲＢを加える手段をさらに備え、前記少なくとも１つの追加のＲＢは、ＣＲＳ送信に専用である、請求項２８に記載の装置。
【請求項３１】
前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実施する手段、をさらに備える請求項２２に記載の装置。
【請求項３２】
コンピュータ実行可能命令を有するコンピュータ読取可能記憶媒体において、
前記コンピュータ実行可能命令は、コンピュータによって実行された場合、前記コンピュータに対して、
単一周波数ネットワーク（ＭＢＳＦＮ）送信を介したマルチメディア・ブロードキャストのために、第１のセットのリソース要素（ＲＥ）を割り当てさせ、ここで、各シンボルは、第１のサイクリック・プレフィクス（ＣＰ）タイプを有する前記第１のセットの各ＲＥに対応する、
ユニキャスト送信のために、第２のセットのＲＥを割り当てさせ、ここで、各シンボルは、第２のＣＰタイプを有する第２のセットの各ＲＥに対応する、
前記第１のＣＰタイプと前記第２のＣＰタイプとが同じであるか否かを判定させ、
前記第１のＣＰタイプと前記第２のＣＰタイプとが同じであることに応じて、前記割り当てられた第１のセットのＲＥと第２のセットのＲＥとにしたがって、サブフレーム内において、前記ＭＢＳＦＮ送信と前記ユニキャスト送信とを結合させる、ここで、前記ＭＢＳＦＮ送信と前記ユニキャスト送信とを結合させることは、ユニキャスト・セル特有の基準信号（ＣＲＳ）のないシンボルでＭＢＳＦＮ基準信号を送信することを含む、
ためのコードを備えるコンピュータ読取可能な記憶媒体。
【請求項３３】
前記コンピュータ実行可能命令は、前記コンピュータによって実行された場合、前記コンピュータに対して、さらに、ユニキャストＣＲＳがないシンボルでＭＢＳＦＮ信号を送信させるためのコードを備える、請求項３２に記載のコンピュータ読取可能な記憶媒体。
【請求項３４】
前記コンピュータ実行可能命令は、前記コンピュータによって実行された場合、前記コンピュータに対して、さらに、ユニキャストＣＲＳ信号がないＭＢＳＦＮ基準信号をシンボルにおいて送信させるためのコードを備える、請求項３３に記載のコンピュータ読取可能な記憶媒体。
【請求項３５】
前記コンピュータ実行可能命令は、前記コンピュータによって実行された場合、前記コンピュータに対して、さらに、ユニキャスト基準信号によって使用されていない所与のシンボルへ、ＭＢＳＦＮ基準信号のうちの所与の１つをシフトさせるためのコードを備える、請求項３４に記載のコンピュータ読取可能な記憶媒体。
【請求項３６】
前記コンピュータ実行可能命令は、前記コンピュータによって実行された場合、前記コンピュータに対して、さらに、ＭＢＳＦＮ基準信号のないシンボルでユニキャスト基準信号を送信させるためのコードを備える、請求項３３に記載のコンピュータ読取可能な記憶媒体。
【請求項３７】
前記コンピュータ実行可能命令は、前記コンピュータによって実行された場合、前記コンピュータに対して、さらに、ＭＢＳＦＮ基準信号によって使用されていない所与のシンボルへ、ユニキャスト基準信号のうちの所与の１つをシフトさせるためのコードを備える、請求項３６に記載のコンピュータ読取可能な記憶媒体。
【請求項３８】
前記コンピュータ実行可能命令は、前記コンピュータによって実行された場合、前記コンピュータに対して、さらに、所与のＭＢＳＦＮ送信を備える共有コンテンツを、複数のモバイル・エンティティにブロードキャストさせるためのコードを備える、請求項３２に記載のコンピュータ読取可能な記憶媒体。
【請求項３９】
前記コンピュータ実行可能命令は、前記コンピュータによって実行された場合、前記コンピュータに対して、さらに、物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信するために共有コンテンツをブロードキャストさせるためのコードを備える、請求項３８に記載のコンピュータ読取可能な記憶媒体。
【請求項４０】
前記コンピュータ実行可能命令は、前記コンピュータによって実行された場合、前記コンピュータに対して、さらに、
前記ＭＢＳＦＮ送信に参加するネットワーク・エンティティのためのページング、ＳＩＢ、およびＰＢＣＨのうちの少なくとも１つのために使用されるＲＢを識別させ、
前記識別されたＲＢを、前記ＭＢＳＦＮ送信から除外させる
ためのコードを備える、請求項３９に記載のコンピュータ読取可能な記憶媒体。
【請求項４１】
前記コンピュータ実行可能命令は、前記コンピュータによって実行された場合、前記コンピュータに対して、さらに、前記ＰＢＣＨ、前記ＳＩＢ、および前記ページングのうちの少なくとも１つのために使用されるＲＢに、少なくとも１つの追加のＲＢを加えることを前記コンピュータに対して実行させるためのコードを備え、
前記少なくとも１つの追加のＲＢは、ＣＲＳ送信に専用である、請求項３９に記載のコンピュータ読取可能な記憶媒体。
【請求項４２】
前記コンピュータ実行可能命令は、前記コンピュータによって実行された場合、前記コンピュータに対して、さらに、前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実行させるためのコードを備える、請求項３２に記載のコンピュータ読取可能な記憶媒体。
【発明の詳細な説明】
【関連出願に対する相互参照】
【０００１】
本特許出願は、本願の譲受人に譲渡され、本明細書において参照によって全体が明確に組み込まれている２０１１年２月２３日に出願された「イボルブド・マルチメディア・ブロードキャスト・マルチキャスト・サービスのための単一キャリア最適化のためのシステムおよび方法」（SYSTEM AND METHOD FOR SINGLE CARRIER OPTIMIZATION FOR EVOLVED MULTIMEDIA BROADCAST MULTICAST SERVICE）と題された仮出願６１／４４５，９８３に対する優先権を主張する。
【技術分野】
【０００２】
本開示の態様は、一般に、無線通信システムに関し、さらに詳しくは、イボルブド・マルチメディア・ブロードキャスト・マルチキャスト・サービス（ｅＭＢＭＳ）のための単一キャリア・エンハンスメントに関する。
【背景技術】
【０００３】
無線通信ネットワークは、例えば音声、ビデオ、パケット・データ、メッセージング、ブロードキャスト等のようなさまざまな通信サービスを提供するために広く開発された。
【０００４】
これら無線ネットワークは、利用可能なネットワーク・リソースを共有することにより、複数のユーザをサポートすることができる多元接続ネットワークでありうる。
【０００５】
このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００６】
無線通信ネットワークは、例えばユーザ機器（ＵＥ）またはアクセス端末（ＡＴ）のような多くのモバイル・エンティティ／デバイスのための通信をサポートしうる、例えば基地局のような多くのネットワーク・エンティティを含みうる。
【０００７】
モバイル・エンティティはダウンリンクおよびアップリンクを介して基地局と通信しうる。
【０００８】
ダウンリンク（すなわち順方向リンク）は、基地局からＵＥへの通信リンクを称し、アップリンク（すなわち逆方向リンク）は、ＵＥから基地局への通信リンクを称する。
【０００９】
第３世代パートナシップ計画（３ＧＰＰ）ロング・ターム・イボリューション（ＬＴＥ）は、グローバル移動体通信システム（ＧＳＭ（登録商標））およびユニバーサル移動体通信システム（ＵＭＴＳ）の発展形として、セルラ技術における大きな進歩を表している。ＬＴＥ物理レイヤ（ＰＨＹ）は、例えばイボルブド・ノードＢ（ｅＮＢ）のような基地局と、例えばＵＥのようなモバイル・エンティティとの間で、データと制御情報との両方を伝送するための非常に効率的な手法を提供する。
【００１０】
マルチメディアのための高帯域幅通信を容易にする１つのメカニズムは、単一周波数ネットワーク（ＳＦＮ）オペレーションであった。特に、イボルブドＭＢＭＳ（ｅＭＢＭＳ）（例えば、ＬＴＥコンテキストにおけるマルチメディア・ブロードキャスト単一周波数ネットワーク（ＭＢＳＦＮ）として最近知られるようになったものを含む）としても知られているマルチメディア・ブロードキャスト・マルチキャスト・サービス（ＭＢＭＳ）およびＬＴＥのためのＭＢＭＳは、このようなＳＦＮ動作を利用しうる。ＳＦＮは、加入者ＵＥと通信するために、例えばｅＮＢのようなラジオ送信機を利用する。ｅＮＢのグループは、双方向情報を同期方式で送信し、これによって、信号は、互いに干渉するのではなく、互いに強めあうようになる。ｅＭＢＭＳのコンテキストでは、共有されたコンテンツをＬＴＥネットワークから複数のＵＥへ送信するための、単一キャリア最適化に対するニーズがある。
【発明の概要】
【００１１】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態の範囲を線引きすることも意図されていない。その唯一の目的は、後述されるより詳細な記載に対する前置きとして、簡略化された形式で１または複数の実施形態のいくつかの概念を表すことである。
【００１２】
本明細書に記載された実施形態の１または複数の態様にしたがって、例えばイボルブド・ノードＢ（ｅＮＢ）のような少なくとも１つのネットワーク・エンティティによるイボルブド・マルチメディア・ブロードキャスト・マルチキャスト・サービス（ｅＭＢＭＳ）のための単一キャリア最適化のための方法が提供される。この方法は、ラジオ・スペクトルのサブフレームにおいて、単一周波数ネットワーク（ＭＢＳＦＮ）送信を介したマルチメディア・ブロードキャストのために、第１のセットのリソース要素（ＲＥ）を割り当てることを含みうる。各シンボルは、第１のサイクリック・プレフィクス（ＣＰ）タイプを有する第１のセットの各ＲＥに対応する。この方法はさらに、ユニキャスト送信のために、第２のセットのＲＥを割り当てることを含みうる。各シンボルは、第２のＣＰタイプを有する第２のセットの各ＲＥに対応する。この方法はさらに、第１のＣＰタイプと第２のＣＰタイプとが同じであるか否かを判定することを含みうる。この方法はさらに、第１のＣＰタイプと第２のＣＰタイプとが同じであることに応じて、割り当てられた第１のセットのＲＥおよび第２のセットのＲＥにしたがって、サブフレーム内において、ＭＢＳＦＮ送信とユニキャスト送信とを結合することを含みうる。関連する態様では、電子デバイス（例えば、ｅＮＢまたはその構成要素（単数または複数））が、前述した方法を実行するように構成されうる。
【００１３】
本明細書に記載された実施形態の１または複数の態様にしたがって、ｅＭＢＭＳのための単一キャリア最適化のための方法が提供される。この方法は、例えばｅＮＢのような所与のネットワーク・エンティティによって実行されうる。この方法は、単一周波数ネットワーク（ＳＦＮ）をマルチ・ページング・ネットワークとして識別することを含みうる。ＳＦＮは、定義された数の利用可能なサブフレームを有する。この方法はさらに、ページング情報を、利用可能なサブフレームのサブセットへ移動させることを含みうる。関連する態様では、電子デバイス（例えば、ｅＮＢまたはその構成要素（単数または複数））は、前述した方法を実行するように構成されうる。
【００１４】
前述した目的および関連する目的を達成するために、１または複数の実施形態は、以下に十分に記載され、請求項において特に指摘された特徴を含む。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００１５】
【図１】図１は、テレコミュニケーション・システムの例を概念的に例示するブロック図である。
【図２】図２は、テレコミュニケーション・システムにおけるダウンリンク・フレーム構造の例を概念的に例示するブロック図である。
【図３】図３は、本開示の１つの態様にしたがって構成されたモバイル・エンティティとネットワーク・エンティティの設計を概念的に例示するブロック図である。
【図４Ａ】図４Ａは、連続的なキャリア・アグリゲーション・タイプを開示する。
【図４Ｂ】図４Ｂは、不連続的なキャリア・アグリゲーション・タイプを開示する。
【図５】図５は、ＭＡＣレイヤ・データ・アグリゲーションを開示する。
【図６】図６は、ＭＢＳＦＮサブフレームにおけるＭＢＳＦＮ基準信号の既存の割当を例示する。
【図７】図７は、非ＭＢＳＦＮサブフレームにおけるユニキャスト基準信号の既存の割当を例示する。
【図８】図８は、単一キャリア最適化のためのＭＢＳＦＮ基準信号割当の実施形態を例示する。
【図９】図９は、ネットワーク・エンティティにおいて実行される単一キャリア最適化のための方法の実施形態を例示する。
【図１０】図１０は、図９の方法のさらなる態様を示す。
【図１１Ａ】図１１Ａは、図９の方法のさらなる態様を示す。
【図１１Ｂ】図１１Ｂは、図９の方法のさらなる態様を示す。
【図１２】図１２は、ネットワーク・エンティティにおいて実行される単一キャリア最適化のための方法の別の実施形態を例示する。
【図１３】図１３は、図１２の方法のさらなる態様を示す。
【図１４】図１４は、図９−１１Ｂの方法にしたがう単一キャリア最適化のための装置の実施形態を例示する。
【図１５】図１５は、図１２−１３の方法にしたがう単一キャリア最適化のための装置の別の実施形態を例示する。
【発明を実施するための形態】
【００１６】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１７】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭＡ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１８】
図１は、ＬＴＥネットワークでありうる無線通信ネットワーク１００を示す。無線ネットワーク１００は、多くのイボルブド・ノードＢ（ｅＮＢ）１１０とその他のネットワーク・エンティティとを含みうる。ｅＮＢは、ＵＥと通信する局であることができ、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１９】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ、住宅内のユーザのためのＵＥ等）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば３つ）のセルをサポートしうる。
【００２０】
無線ネットワーク１００はさらに、中継局をも含みうる。中継局は、データおよび／またはその他の情報の送信を上流局（例えば、ｅＮＢまたはＵＥ）から受信し、データおよび／またはその他の情報の送信を下流局（例えば、ＵＥまたはｅＮＢ）へ送信する局である。中継局はまた、他のＵＥのための送信を中継するＵＥでもありうる。図１に示す例では、中継局１１０ｒは、ｅＮＢ１１０ａとＵＥ１２０ｒとの間の通信を容易にするために、ｅＮＢ１１０ａおよびＵＥ１２０ｒと通信しうる。中継局はまた、リレーｅＮＢ、リレー等とも称されうる。
【００２１】
無線ネットワーク１００はまた、例えば、マクロｅＮＢ、ピコｅＮＢ、フェムトｅＮＢ、リレー等のような異なるタイプのｅＮＢを含むヘテロジニアスなネットワークでもありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、２０ワット）を有する一方、ピコｅＮＢ、フェムトｅＮＢ、およびリレーは、低い送信電力レベル（例えば、１ワット）を有しうる。
【００２２】
無線ネットワーク１００は、同期動作または非同期動作を支援しうる。同期動作の場合、ｅＮＢは、同じようなフレーム・タイミングを有し、異なるｅＮＢからの送信は、時間的にほぼ同期しうる。非同期動作の場合、ｅＮＢは、異なるフレーム・タイミングを有し、異なるｅＮＢからの送信は、時間的に同期しない場合がある。ここに記載された技術は、同期動作および非同期動作の両方のために使用されうる。
【００２３】
ネットワーク・コントローラ１３０は、ｅＮＢのセットに接続しており、これらｅＮＢのための調整および制御を提供しうる。ネットワーク・コントローラ１３０は、バックホールを介してｅＮＢ１１０と通信しうる。ｅＮＢ１１０はまた、例えば、ダイレクトに、または、無線または有線のバックホールを介して非ダイレクトに、互いに通信しうる。
【００２４】
無線ネットワーク１００の全体にわたって、多くのＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の干渉送信を示す。
【００２５】
ＬＴＥは、ダウンリンクにおいて直交周波数分割多重（ＯＦＤＭ）を、アップリンクにおいてシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）のシステム帯域幅についてそれぞれ１２８，２５６，５１２，１０２４，２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚのシステム帯域幅についてそれぞれ１，２，４，８，１６のサブ帯域が存在しうる。
【００２６】
図２は、ＬＴＥにおいて使用されるダウンリンク・フレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間、拡張されたサイクリック・プレフィクスの場合、１４のシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースは、リソース・ブロック（ＲＢ）へ分割されうる。各ＲＢは、１つのスロットにおいてＮ個のサブキャリア（例えば、１２のサブキャリア）をカバーしうる。
【００２７】
ＬＴＥでは、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２８】
図２には、第１のシンボル期間全体において示されているが、ｅＮＢは、各サブフレームにおける第１のシンボル期間の一部のみで、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍは、例えば１０ＲＢ未満の小さなシステム帯域幅について、４に等しくなりうる。図２に示す例では、Ｍ＝３である。ｅＮＢは、各サブフレームの最初のＭ個のシンボル期間（図２ではＭ＝３）において、物理ＨＡＲＱインジケータ・チャネル（ＰＨＩＣＨ）および物理ダウンリンク制御チャネル（ＰＤＣＣＨ）を送信しうる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。図２における第１のシンボル期間には図示されていないが、ＰＤＣＣＨとＰＨＩＣＨも第１のシンボル期間に含まれることが理解される。同様に、ＰＨＩＣＨとＰＤＣＣＨは、図２には図示されていないが、第２のシンボル期間と第３のシンボル期間との両方にも存在する。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。ＬＴＥにおけるさまざまな信号およびチャネルは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。関連する態様では、物理マルチキャスト・チャネル（ＰＭＣＨ）は、マルチキャスト・チャネル（ＭＣＨ）伝送チャネルを伝送する物理チャネルである。
【００２９】
ＰＭＣＨは、ポイント・トゥ・マルチポイント・サービスのために複数のユーザへ情報を伝送するという点を除いてＰＤＳＣＨに類似している。例えば、ＰＭＣＨは、直交フェーズ・シフト・キーイング（ＱＰＳＫ）、１６０ＡＭ変調または６４０ＡＭ変調を使用しうる。ＭＣＨは、マルチキャスト送信をセット・アップするマルチキャスト制御チャネル（ＭＣＣＨ）情報を送信するために使用される伝送チャネルである。ＭＣＣＨは、マルチキャスト受信のために必要な情報のために使用される制御チャネルである。
【００３０】
ｅＮＢは、ｅＮＢによって使用されるシステム帯域幅の中央の１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３１】
多くのリソース要素（ＲＥ）が、各シンボル期間において利用可能でありうる。各ＲＥは、１つのシンボル期間において１つのサブキャリアをカバーしうる。そして、実数値または複素数値でありうる１つの変調シンボルを送信するために使用されうる。各シンボル期間において、基準信号（ＲＳ）のために使用されないＲＥは、ＲＥグループ（ＲＥＧ）へ構成されうる。各ＲＥＧは、１つのシンボル期間に、４つのＲＥを含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２内に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧからなるある組み合わせのみが、ＰＤＣＣＨのために許容されうる。
【００３２】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅＮＢは、ＵＥが探索する組み合わせのうちの何れかのＵＥにＰＤＣＣＨを送信しうる。
【００３３】
ＵＥは、複数のｅＮＢの有効通信範囲内に存在しうる。これらのｅＮＢのうちの１つが、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００３４】
図３は、図１における基地局／ｅＮＢのうちの１つ、およびＵＥのうちの１つでありうる、基地局／ｅＮＢ１１０とＵＥ１２０との設計のブロック図を示す。制約された関連性のシナリオの場合、基地局１１０は、図１におけるマクロｅＮＢ１１０ｃでありうる。そして、ＵＥ１２０は、ＵＥ１２０ｙでありうる。基地局１１０はさらに、その他いくつかのタイプの基地局でもありうる。基地局１１０は、アンテナ３３４ａ乃至３３４ｔを備え、ＵＥ１２０は、アンテナ３５２ａ乃至３５２ｒを備えうる。
【００３５】
基地局１１０では、送信プロセッサ３２０が、データ・ソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ３２０は、データ・シンボルおよび制御シンボルをそれぞれ取得するために、データ情報および制御情報を処理（例えば、符号化およびシンボル・マップ）しうる。プロセッサ３２０はさらに、例えばＰＳＳ、ＳＳＳ、およびセル特有のＲＳのための基準シンボルを生成しうる。送信（ＴＸ）複数入力複数出力（ＭＩＭＯ）プロセッサ３３０は、適用可能であれば、データ・シンボル、制御シンボル、および／または、基準シンボルに空間処理（例えば、プリコーディング）を実行し、出力シンボル・ストリームを変調器（ＭＯＤ）３３２ａ乃至３３２ｔに提供しうる。おのおのの変調器３３２は、（例えば、ＯＦＤＭ等のために）それぞれの出力シンボル・ストリームを処理して、出力サンプル・ストリームを得る。おのおのの変調器３３２はさらに、出力サンプル・ストリームを処理（例えば、アナログ変換、増幅、フィルタ、およびアップコンバート）し、ダウンリンク信号を取得する。変調器３３２ａ乃至３３２ｔからのダウンリンク信号は、アンテナ３３４ａ乃至３３４ｔによってそれぞれ送信されうる。
【００３６】
ＵＥ１２０では、アンテナ３５２ａ乃至３５２ｒが、基地局１１０からダウンリンク信号を受信し、受信した信号を、復調器（ＤＥＭＯＤ）３５４ａ乃至３５４ｒへそれぞれ提供しうる。おのおのの復調器３５４は、受信したそれぞれの信号を調整（例えば、フィルタ、増幅、ダウンコンバート、およびデジタル化）して、入力サンプルを取得しうる。おのおのの復調器３５４はさらに、（例えば、ＯＦＤＭ等のため）これら入力サンプルを処理して、受信されたシンボルを取得しうる。ＭＩＭＯ検出器３５６は、すべての復調器３５４ａ乃至３５４ｒから受信したシンボルを取得し、適用可能である場合、これら受信されたシンボルに対してＭＩＭＯ検出を実行し、検出されたシンボルを提供しうる。受信プロセッサ３５８は、検出されたシンボルを処理（例えば、復調、デインタリーブ、および復号）し、ＵＥ１２０のために復号されたデータをデータ・シンク３６０に提供し、復号された制御情報をコントローラ／プロセッサ３８０へ提供しうる。
【００３７】
アップリンクでは、ＵＥ１２０において、送信プロセッサ３６４が、データ・ソース３６２から（例えばＰＵＳＣＨのための）データを、コントローラ／プロセッサ３８０から（例えばＰＵＣＣＨのための）制御情報を受信し、これらを処理しうる。プロセッサ３６４はまた、ＲＳのための基準シンボルを生成しうる。送信プロセッサ３６４からのシンボルは、適用可能であれば、ＴＸ  ＭＩＭＯプロセッサ３６６によってプリコードされ、さらに、（例えば、ＳＣ−ＦＤＭ等のために）変調器３５４ａ乃至３５４ｒによって処理され、基地局１１０へ送信される。基地局１１０では、ＵＥ１２０からのアップリンク信号が、アンテナ３３４によって受信され、復調器３３２によって処理され、適用可能な場合にはＭＩＭＯ検出器３３６によって検出され、さらに、受信プロセッサ３３８によって処理されて、ＵＥ１２０によって送信された復号されたデータおよび制御情報が取得される。プロセッサ３３８は、復号されたデータをデータ・シンク３３９に提供し、復号された制御情報をコントローラ／プロセッサ３４０へ提供しうる。
【００３８】
コントローラ／プロセッサ３４０，３８０はそれぞれ、基地局１１０およびＵＥ１２０における動作を指示しうる。基地局１１０におけるプロセッサ３４０および／またはその他のプロセッサおよびモジュールは、本明細書で説明された技術のためのさまざまな処理の実行または指示を行いうる。ＵＥ１２０におけるプロセッサ３８０および／またはその他のプロセッサおよびモジュールは、図４および図５に例示された機能ブロック、および／または、本明細書に記載された技術のためのその他の処理の実行または指示を行いうる。メモリ３４２，３８２は、基地局１１０およびＵＥ１２０それぞれのためのデータおよびプログラム・コードを格納しうる。スケジューラ３４４は、ダウンリンクおよび／またはアップリンクでのデータ送信のためにＵＥをスケジュールしうる。
【００３９】
１つの構成では、無線通信のためのＵＥ１２０は、ＵＥの接続モード中、干渉元の基地局からの干渉を検出する手段と、干渉元の基地局の、放棄されたリソースを選択する手段と、放棄されたリソースで、物理ダウンリンク制御チャネルの誤り率を取得する手段と、誤り率が予め定められたレベルを超えたことに応答してラジオ・リンク失敗を宣言するように実行可能な手段と、を含む。１つの態様では、前述した手段は、前述した手段によって記述された機能を実行するように構成されたプロセッサ（単数または複数）、コントローラ／プロセッサ３８０、メモリ３８２、受信プロセッサ３５８、ＭＩＭＯ検出器３５６、復調器３５４ａ、およびアンテナ３５２ａでありうる。別の態様では、前述した手段は、前述した手段によって記載された機能を実行するように構成されたモジュールまたは任意の装置でありうる。
【００４０】
キャリア・アグリゲーション：ＬＴＥアドバンストＵＥは、各方向における送信のために使用される最大で合計１００Ｍｈｚ（５つの成分キャリア）のキャリア・アグリゲーションにおいて割り当てられた２０Ｍｈｚ帯域幅におけるスペクトルを使用する。一般に、アップリンクではダウンリンクよりも少ないトラフィックしか送信されないので、アップリンク・スペクトル割当は、ダウンリンク・スペクトル割当よりも小さくなりうる。例えば、２０ＭＨｚがアップリンクに割り当てられた場合、ダウンリンクは１００ＭＨｚを割り当てられうる。これら非対称の周波数分割デュプレクス（ＦＤＤ）割当は、スペクトルを節約し、ブロードバンド加入者による一般的な非対称の帯域幅利用によく適合する。
【００４１】
キャリア・アグリゲーション・タイプ：ＬＴＥアドバンスト・モバイル・システムの場合、２つのタイプのキャリア・アグリゲーション（ＣＡ）方法、すなわち、連続ＣＡと不連続ＣＡとが提案されている。これらは図４Ａおよび４Ｂに例示されている。複数の利用可能な成分キャリアが、周波数帯域に沿って分離されている場合（図４Ｂ）、不連続ＣＡが生じる。一方、複数の利用可能な成分キャリアが、互いに隣接している場合（図４Ａ）、連続ＣＡが生じる。ＬＴＥアドバンストＵＥの１つのユニットにサービス提供するために、不連続ＣＡと連続ＣＡとの両方が、複数のＬＴＥ／成分キャリアをアグリゲートする。
【００４２】
ＬＴＥアドバンストＵＥでは、不連続ＣＡを用いて、複数のＲＦ受信ユニットおよび複数のＦＦＴが配置されうる。なぜなら、これらキャリアは、周波数帯域に沿って分離されているからである。不連続ＣＡは、分離された複数のキャリアによるデータ送信を、広い周波数範囲にわたってサポートするので、伝搬経路喪失、ドップラ・シフト、およびその他のラジオ・チャネル特性が、異なる周波数帯域において大きく変動しうる。
【００４３】
したがって、不連続ＣＡアプローチにおけるブロードバンド・データ送信をサポートするために、異なる成分キャリアのための符号化、変調、および送信電力を適応的に調節する方法が使用されうる。例えば、エンハンスト・ノードＢ（ｅＮＢ）が、各成分キャリアにおいて固定された送信電力を有するＬＴＥアドバンスト・システムでは、各成分キャリアの有効な通信範囲またはサポート可能な変調および符号化は異なりうる。
【００４４】
データ・アグリゲーション・スキーム：図５は、ＩＭＴアドバンスト・システムのための、媒体アクセス制御（ＭＡＣ）レイヤにおける異なる成分キャリアからのアグリゲーション送信ブロック（ＴＢ）を例示する（図５）。各成分キャリアは、ＭＡＣレイヤ・データ・アグリゲーションを用いて、ＭＡＣレイヤ内に自身の独立したハイブリッド自動反復要求（ＨＡＲＱ）エンティティと、物理レイヤ内に自身の送信コンフィギュレーション・パラメータ（例えば、送信電力、変調および符号化スキーム、およびマルチ・アンテナ構成）とを有する。同様に、物理レイヤには、各成分キャリアのために、１つのＨＡＲＱエンティティが提供される。
【００４５】
制御シグナリング：一般に、複数の成分キャリアのための制御チャネル・シグナリングを展開させるために３つの異なるアプローチが存在する。第１のアプローチは、ＬＴＥシステムにおける制御構造を若干修正することを含む。ここでは、各成分キャリアは、自身の符号化制御チャネルを与えられる。
【００４６】
第２の方法は、異なる成分キャリアの制御チャネルを統合的に符号化することと、これら制御チャネルを、専用の成分キャリア内に配置することと、を含む。複数の成分キャリアのための制御情報は、この専用の制御チャネルにおけるシグナリング・コンテンツとして統合されるだろう。この結果、ＣＡにおけるシグナリング・オーバヘッドが低減されながら、ＬＴＥシステムにおける制御チャネル構造との後方互換性が維持される。
【００４７】
異なる成分キャリアのための複数の制御チャネルが、統合的に符号化され、その後、第３のＣＡ方法によって生成された周波数帯域全体にわたって送信される。このアプローチは、ＵＥ側における高い電力消費を犠牲にして、制御チャネルにおける高い復号パフォーマンスおよび低いシグナリング・オーバヘッドを提供する。しかしながら、この方法は、ＬＴＥシステムとの互換性をもたない。
【００４８】
ハンドオーバ制御：ＩＭＴアドバンストＵＥのためにＣＡが使用される場合、複数のセルにわたるハンドオーバ手順中、送信連続性をサポートすることが好ましい。しかしながら、到来するＵＥのため、特定のＣＡ構成要件およびサービス品質（ＱｏＳ）要件を持つ十分なシステム・リソース（すなわち、良好な送信品質を持つ成分キャリア）を確保することは、次のｅＮＢのために魅力的でありうる。その理由は、２つの（またはそれ以上の）隣接セル（例えば、ｅＮＢ）のチャネル条件が、特定のＵＥについて異なりうるからである。１つのアプローチでは、ＵＥは、各隣接セルにおいて、１つの成分キャリアのパフォーマンスしか測定しない。これは、ＬＴＥシステムにおけるものと同様の測定遅れ、複雑さ、およびエネルギ消費量を与える。対応するセルにおけるその他の成分キャリアのパフォーマンスの推定値は、１つの成分キャリアの測定結果に基づきうる。この推定値に基づいて、ハンドオーバ決定および送信構成が決定されうる。
【００４９】
本開示の主題にしたがって、イボルブド・マルチメディア・ブロードキャスト・マルチキャスト・サービス（ｅＭＢＭＳ）のための単一キャリア最適化に関する機能を有する無線ネットワーク（例えば、３ＧＰＰネットワーク）が提供される。ｅＭＢＭＳは、ＬＴＥネットワークから例えばユーザ機器（ＵＥ）のような複数のモバイル・エンティティへ共有コンテンツを送信するための効率的な手法を提供する。
【００５０】
ＬＴＥ  ＦＤＤのためのｅＭＢＭＳの物理レイヤ（ＰＨＹ）に関し、チャネル構造は、混合キャリアにおけるｅＭＢＭＳ送信とユニキャスト送信との間の時分割多重（ＴＤＭ）リソース分割を備え、これによって、フレキシブルかつ動的なスペクトル利用が可能となる。現在、マルチメディア・ブロードキャスト単一周波数ネットワーク（ＭＢＳＦＮ）サブフレームとして知られているサブフレームのサブセット（最大６０％）が、ｅＭＢＭＳ送信のために確保されうる。そのため、現在のｅＭＢＭＢ設計によって、ｅＭＢＭＳのため、１０のうち最大６つのサブフレームが可能である。
【００５１】
ＭＢＳＦＮサブフレームにおけるＭＢＳＦＮ基準信号の既存の割当を示す図６に示すように、サブフレームが０，１，２，３，４，５，６，７，８，９とラベルされているのであれば、ＦＤＤにおいて、サブフレーム０，４，５，９が、ｅＭＢＭＳから除外されうる。さらに、時分割デュプレクス（ＴＤＤ）において、サブフレーム０，１，５，６は、ｅＭＢＭＳから除外されうる。さらに詳しくは、ＦＤＤでは、サブフレーム０，４，５，９が、ＰＳＳ／ＳＳＳ／ＰＢＣＨ／ページング／システム情報ブロック（ＳＩＢ）およびユニキャスト・サービスのために使用されうる一方、サブフレーム１，２，３，６，７，８が、ＭＢＳＦＮサブフレームとして構成されうる。
【００５２】
図６に引き続き示すように、各ＭＢＳＦＮサブフレーム内では、最初の１または２のシンボルがユニキャストＲＳおよび制御シグナリングのために使用されうる。最初の１または２のシンボルのサイクリック・プレフィクス（ＣＰ）長さは、サブフレーム０の長さにしたがいうる。ＣＰ長さが異なる場合、最初の１または２のシンボルと、ＭＢＳＦＮシンボルとの間に、送信ギャップが存在しうる。関連する態様では、ＭＢＳＦＮ帯域幅利用の全体は、ＲＳオーバヘッド（例えば、各ＭＢＳＦＮサブフレーム内の６つのＭＢＳＦＮサブフレームおよび２つの制御シンボル）を考慮して、４２．５％でありうる。一般にＭＢＳＦＮ  ＲＳおよびユニキャストＲＳを提供するための既知の技術は、（例えば図６に示すように）ＭＢＳＦＮサブフレームにおいてＭＢＳＦＮ  ＲＳを割り当てることと、部分的なユニキャストＲＳがユニキャスト制御シグナリングのために最初の１または２のシンボルに存在する非ＭＢＳＦＮサブフレームにおいて部分的なユニキャストＲＳを割り当てることと、を含む。さらに詳しくは、図６が示すように、ＭＢＳＦＮサブフレームの拡張ＣＰは、最後の１０のシンボルにＭＢＳＦＮ  ＲＳを含むが、最初の１または２シンボルには部分的なユニキャストＲＳしか含まない。さらに、関連する態様では、ユニキャストＲＢは、図７に例示されるように、非ＭＢＳＦＮサブフレームに存在しうる。図７は、非ＭＢＳＦＮサブフレームにおけるユニキャスト基準信号の既存の割当を示している。図７が示すように、非ＭＢＳＦＮサブフレームの通常のＣＰおよび／または拡張ＣＰは、ユニキャストＲＳを含むが、ＭＢＳＦＮ  ＲＳを含まない。
【００５３】
本明細書に記載された実施形態のうちの１または複数の態様によれば、送信機会を増加させるために、前述したｅＭＢＭＳ／ＭＢＳＦＮ設計を増強するための技術が提供される。例えば、現在のｅＭＢＭＳ設計は、サブフレーム０／４／５／９または０／１／５／６もｅＭＢＳＭのために使用されうるように拡張されうる。後方互換性を確保するために、この増強は、ＰＳＳ／ＳＳＳ／ＰＢＣＨ、ＳＩＢ（単数または複数）、ページング、またはラジオ・リンク・モニタリング（ＲＬＭ）／ラジオ・リソース管理（ＲＲＭ）に悪影響を及ぼすべきではない。
【００５４】
１つのアプローチでは、ＰＳＳ／ＳＳＳ／ＰＢＣＨは、変更されないままとされうる。代案では、あるいは、さらに、制御領域は、サブフレームにおいて、変更されないままとされうる。代案では、あるいは、さらに、ＳＩＢ（単数または複数）のＲＢおよびページングが、変更されないままとされうる。例えば、ｅＭＢＭＳにおけるセルは、同じＳＩＢ（単数または複数）、ページング時間、および周波数位置を有しうる。別の例では、ＳＩＢ（単数または複数）のために使用されるＲＢと、ｅＭＢＭＳにおけるすべてのセルにわたるページングとの組み合わせが、変更されないままとされうる。
【００５５】
図６−７に示され、かつ前述したような複数のキャリアを含む既知の信号割当技術とは対照的に、図８は、単一キャリア最適化を達成する改良された信号割当技術を例示する。図８の信号割当技術を用いて、個別のＭＢＳＦＮサブフレームおよび非ＭＢＳＦＮサブフレームを必要とせずに、所与のサブフレームにＭＢＳＦＮ  ＲＳとフル・ユニキャストＲＳとの両方を含めることが可能である。続いて図８に示すように、ＲＬＭ／ＲＲＭおよびユニキャスト・チャネル推定における後方互換性を維持するために、セルは、セル特有の基準信号（ＣＲＳ）を送信し、ＣＲＳを含むＯＦＤＭシンボルが、ＭＢＳＦＮ送信のためにブランク・アウトされうる。例えば、シンボル６におけるＭＢＳＦＮ  ＲＳ（すなわち、第２のシンボル０）が、シンボル５にシフトされうる。なぜなら、シンボル６はＣＲＳを含んでいるからである。したがって、ＭＢＳＦＮ  ＲＳは、図８の実施形態に例示されるように、サブフレーム０／４／５／９で送信されうる。ユニキャスト・サブフレームおよびｅＭＢＭＳサブフレームの両方が、動作するために、このアプローチのために、同じＣＰタイプを有さねばならないことが注目される。
【００５６】
また別のアプローチでは、ＣＲＳは、ＰＢＣＨ、ＳＩＢ（単数または複数）、ページング等のために使用されるＲＢで送信されうる。ユニキャスト・サブフレームおよびｅＭＢＭＳサブフレームの両方が、動作するために、この別のアプローチのために、同じＣＰタイプを有さねばならない。
【００５７】
さらに別のアプローチでは、ＬＴＥネットワークにおける送信時間インタバル（ＴＴ）またはサブフレームが拡張されうる。例えば、上部レイヤにおける外部コーディングによって仮想拡張ＴＴＩが実施されうる。大きなレイテンシが、外部コーディングに関連付けられうることが注目される。別の例において、レイヤ１（Ｌ１）拡張ＴＴＩが、時間ダイバーシティからの利益を得るために実施されうる。Ｌ１拡張ＴＴＩによって、受信機におけるレイテンシおよびバッファ要件が大きくなることが注目される。さらなるアプローチでは、異なるｅＭＢＭＳサービスの周波数分割多重（ＦＤＭ）がＴＤＭに加えて実施され、この結果、サービス多重化のさらに高いグラニュラリティが得られる。
【００５８】
本明細書に記載および図示された典型的なシステムを考慮すると、開示された主題にしたがって実現される方法は、さまざまなフローチャートを参照してより良く認識されるだろう。説明の単純化の目的のために、これら方法は一連の動作／ブロックとして図示および説明されているが、権利主張される主題は、いくつかのブロックが、本明細書に図示および記載されたものとは異なる順序で実行されたり、および／または、他のブロックと実質的に同時に実行されうるので、ブロックの数または順序によって限定されないことが理解および認識されるべきである。さらに、本明細書に記載された方法を実施するために、必ずしも例示されたすべてのブロックが必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、本明細書全体にわたり開示される方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００５９】
本明細書に記載された実施形態の１または複数の態様にしたがって、ｅＭＢＭＳのための単一キャリア最適化のための方法が提供される。図９に示すように、例えばｅＮＢ等のようなネットワーク・エンティティにおいて実行されうる方法９００が例示される。方法９００は、９１０において、ラジオ・スペクトルのサブフレームにおいて、ＭＢＳＦＮ送信のために第１のセットのＲＥを割り当てることを含みうる。各シンボルは、第１のＣＰタイプを有する第１のセットの各ＲＥに対応する。方法９００は、９２０において、ユニキャスト送信のために、第２のセットのＲＥを割り当てることを含みうる。各シンボルは、第２のＣＰタイプを有する第２のセットの各ＲＥに対応する。方法９００は、９３０において、第１のＣＰタイプと第２のＣＰタイプとが同じであるか否かを判定することを含みうる。方法９００は、９４０において、第１のＣＰタイプと第２のＣＰタイプとが同じであることに応じて、割り当てられた第１のセットのＲＥと第２のセットのＲＥとにしたがって、サブフレーム内において、ＭＢＳＦＮ送信とユニキャスト送信とを結合することを含みうる。
【００６０】
図１０に示すように、オプションであり、ｅＭＢＭＳの単一キャリア最適化のためにネットワーク・エンティティによって実行されうる方法９００のさらなる動作または態様が示される。図１０−１１Ｂに示されるブロックは、方法９００を実行するために要求されないことが注目される。上部ブロックのダイレクトな下流側である下部ブロック（すなわち、高いブロック番号でラベルされ、「選択」ダイヤモンドによって上部ブロックと分離されていないブロック）は、上部ブロックに依存する（すなわち、上部ブロックが生じなければ生じない）ことがさらに注目される。方法９００が、図１０−１１Ｂのうちの少なくとも１つのブロックを含んでいる場合、方法９００は、例示されうるあらゆるその後の下流ブロック（単数または複数）を含むことを必ずしも必要とせず、少なくとも１つのブロックの後に終了することができる。例えば、ブロック９４０において、ＭＢＳＮＦ送信およびユニキャスト送信を結合することは、９５０において、ユニキャストＣＲＳ信号のない（すなわち、有していない、または、含んでいない）シンボルでＭＢＳＦＮ信号を送信し、もって、ＭＢＳＦＮ送信のためのＣＲＳの使用を回避する。この方法９００はさらに、９５２において、ユニキャストＣＲＳ信号のないシンボルでＭＢＳＦＮ基準信号を送信することを含みうる。方法９００はさらに、９５４において、ユニキャスト基準信号によって使用されていない所与のシンボルへ、ＭＢＳＦＮ基準信号のうちの所与の１つをシフトさせることを含みうる。
【００６１】
逆に、ブロック９５２に対する代案９５１において、方法９００は、９６０において、ＭＢＳＦＮ基準信号のない（すなわち、有さない、または、含まない）シンボルでユニキャスト基準信号を送信することを含みうる。この方法９００はさらに、９６２において、ＭＢＳＦＮ基準信号によって使用されていない所与のシンボルへ、ユニキャスト基準信号のうちの所与の１つをシフトさせることを含みうる。
【００６２】
図１１Ａは、オプションであって、ネットワーク・エンティティによって実行されうる方法９００のさらなる動作または態様を示す。例えば、ブロック９４０では、サブフレーム内において、ＭＢＳＦＮ送信およびユニキャスト送信を結合することに加えて、方法９００は、９７０において、所与のＭＢＳＦＮ送信を備える共有コンテンツを複数のモバイル・エンティティへブロードキャストすることを含みうる。方法９００はさらに、９７２において、ＭＢＳＦＮ送信に参加するネットワーク・エンティティのためのＰＢＣＨ、ＳＩＢ，およびページングのうちの少なくとも１つのために使用されるＲＢを識別することを含みうる。この方法９００はさらに、９７４において、ＭＢＳＦＮ送信から識別されたＲＢを除外することを含みうる。
【００６３】
逆に、ブロック９７２に対する代案９７１では、方法９００は、９８０において、ＣＲＳ送信に専用である少なくとも１つの追加のＲＢを、ＰＢＣＨ、ＳＩＢ，およびページングのうちの少なくとも１つのために使用されるＲＢに追加することを含みうる。
【００６４】
関連する態様では、図１１Ｂに示すように、方法９００はさらに、９９０において、第１のＣＰのキャリアがｅＭＢＭＳ送信のために使用され、このキャリアが、ユニキャストまたはマルチキャストのためにＰＳＳ／ＳＳＳを送信することに応じて、（ａ）ＰＳＳ／ＳＳＳおよび（ｂ）ＰＭＣＨのための第１のＣＰタイプを実施することを含みうる。ＰＳＳ／ＳＳＳおよびＰＭＣＨのために同じＣＰタイプを使用することによって、ＰＳＳ／ＳＳＳとＰＭＣＨとの間で改善されたＦＤＭ多重化が可能となる。
【００６５】
本明細書に記載された実施形態の１または複数の態様によれば、図１２に例示されるように、ｅＭＢＭＳのための単一キャリア最適化のための代替方法が提供される。方法１２００は、１２１０において、単一周波数ネットワーク（ＳＦＮ）をマルチ・ページング・ネットワークとして識別することを含みうる。ここで、ＳＦＮは、定義された数の利用可能なサブフレームを有する。方法１２００は、１２２０において、ページング情報を、利用可能なサブフレームのサブセットへ移動させることを含みうる。
【００６６】
図１３に示すように、オプションであって、ネットワーク・エンティティによって実行されうる方法１２００のさらなる動作または態様が示される。図１３に示されるブロックは、方法１２００を実行するために必要とされないことが注目される。上部ブロックのダイレクトな下流側である下部ブロック（すなわち、高いブロック番号でラベルされ、「選択」ダイヤモンドによって上部ブロックと分離されていないブロック）は、上部ブロックに依存する（すなわち、上部ブロックが生じなければ生じない）ことがさらに注目される。方法１２００が、図１３の少なくとも１つのブロックを含んでいる場合、方法１２００は、例示されうるその後のあらゆる下流側のブロック（単数または複数）を含むことを必ずしも必要とせず、少なくとも１つのブロックの後に終了することができる。例えば、ブロック１２１０において、ＳＦＮをマルチ・ページング・ネットワークとして識別することは、ブロック１２３０において、ユニキャスト送信のために割り当てられた第１のセットのサブフレームと、マルチメディア・ブロードキャスト・オーバ単一周波数ネットワーク（ＭＢＳＦＮ）送信のために割り当てられた第２のセットのサブフレームとを有するものとしてＳＦＮを識別すること、を含みうる。さらに、ブロック１２２０においてページング情報を移動させることはまた、１２４０において、ページング情報を、ユニキャスト送信のために割り当てられた第１のセットのサブフレームへ移動させることを含みうる。例えば、サブフレームは、０，１，２，３，４，５，６，７，８，９とラベルされうる。関連する態様では、サブフレーム０，５は、ユニキャスト送信のために割り当てられうる一方、サブフレーム４，９は、ＭＢＳＦＮ送信のために割り当てられうる。さらなる関連する態様では、移動は、ページング情報をサブフレーム０，５へ移動させることを含みうる。
【００６７】
本明細書に記載された実施形態のうちの１または複数の態様によれば、図９−１１Ｂを参照して上述したような、ｅＭＢＭＳのための単一キャリア最適化のためのデバイスおよび装置が提供される。図１４を参照して、無線ネットワークにおけるネットワーク・エンティティ（例えば、ｅＮＢ）として、あるいは、ネットワーク・エンティティ内で使用するためのプロセッサまたは類似のデバイスとして構成されうる典型的な装置１４００が提供される。装置１４００は、プロセッサ、ソフトウェア、またはこれらの組み合わせ（例えば、ファームウェア）によって実現される機能を表す機能ブロックを含みうる。例示されるように、１つの実施形態では、装置１４００は、ＭＢＳＦＮ送信のために、第１のセットのＲＥを割り当てるための電子構成要素またはモジュール１４０２を備えうる。ここで、各シンボルは、第１のＣＰタイプを有する第１のセットの各ＲＥに対応する。例えば、電子構成要素１４０２は、ｅＭＢＭＳ等のための単一キャリア最適化を調整するための命令群を備えたメモリおよびネットワーク・インタフェース等に接続された少なくとも１つのプロセッサを含みうる。電子構成要素１４０２は、ＭＢＳＦＮ送信のための第１のセットのＲＥを割り当てる手段でありうるか、この手段を含みうる。ここで、各シンボルは、第１のＣＰタイプを有する第１のセットの各ＲＥに対応する。前述した手段は、アルゴリズムを実行している少なくとも１つの制御プロセッサ（例えば、図３のコントローラ／プロセッサ３４０）でありうるか、これを含みうる。このアルゴリズムは、例えば、図８の実施形態またはそのバリエーションにしたがって、サブフレームにおけるＭＢＳＦＮ基準信号を整えることを含みうる。
【００６８】
装置１４００は、ユニキャスト送信のために第２のセットのＲＥを割り当てるための電子構成要素１４０４を備えうる。ここで、各シンボルは、第２のＣＰタイプを有する第２のセットに対応する。例えば、電子構成要素１４０４は、ｅＭＢＭＳ等のための単一キャリア最適化を調整するための命令群を備えたメモリおよびネットワーク・インタフェース等に接続された少なくとも１つの制御プロセッサを含みうる。電子構成要素１４０４は、ユニキャスト送信のために第２のセットのＲＥを割り当てる手段でありうるか、または、この手段を含みうる。ここで、各シンボルは、第２のＣＰタイプを有する第２のセットに対応する。前述した手段は、アルゴリズムを実行している少なくとも１つの制御プロセッサ（例えば、図３のコントローラ／プロセッサ３４０）でありうるか、これを含みうる。このアルゴリズムは、例えば、図８の実施形態またはそのバリエーションにしたがって、サブフレームにおけるＭＢＳＦＮ基準信号を整えることを含みうる。
【００６９】
装置１４００は、第１のＣＰタイプと第２のＣＰタイプとが同じであるか否かを判定するための電子構成要素１４０６を備えうる。例えば、この電子構成要素１４０６は、メモリまたはネットワーク・インタフェース等に接続された少なくとも１つの制御プロセッサを含みうる。電子構成要素１４０６は、第１のＣＰタイプと第２のＣＰタイプとを比較する手段でありうるのみならず、第１のＣＰタイプと第２のＣＰタイプとが同じであるか否かを判定する手段でありうるか、これら手段を含みうる。
【００７０】
装置１４００は、第１のＣＰタイプと第２のＣＰタイプとが同じであることに応じて、割り当てられた第１のセットのＲＥと第２のセットのＲＥとにしたがって、ラジオ・スペクトルのサブフレームにおいてＭＢＳＦＮ送信とユニキャスト送信とを結合するための電子構成要素１４０８を備えうる。例えば、電子構成要素１４０８は、ｅＭＢＭＳ等のための単一キャリア最適化を調整するための命令群を備えたメモリおよびネットワーク・インタフェース等に接続された少なくとも１つの制御プロセッサを含みうる。装置１４０８は、第１のＣＰタイプと第２のＣＰタイプとが同じであることに応じて、割り当てられた第１のセットのＲＥと第２のセットのＲＥとにしたがって、ラジオ・スペクトルのサブフレームにおいてＭＢＳＦＮ送信とユニキャスト送信とを結合する手段でありうるか、この手段を含みうる。前述した手段は、アルゴリズムを実行している少なくとも１つの制御プロセッサ（例えば、図３のコントローラ／プロセッサ３４０）でありうるか、これを含みうる。このアルゴリズムは、例えば、図８の実施形態にしたがって、サブフレームにおけるＭＢＳＦＮ基準信号を整えることを含みうる。代案では、あるいは、さらに、このアルゴリズムは、例えば、ユニキャストＣＲＳのないシンボルでＭＢＳＦＮ信号を送信することと、ユニキャストＣＲＳ信号のないシンボルでＭＢＳＦＮ基準信号を送信することと、ユニキャスト基準信号によって使用されていない所与のシンボルへ、ＭＢＳＦＮ基準信号のうちの所与の１つをシフトさせることと、を含みうる。代案では、あるいは、さらに、このアルゴリズムは、例えば、ＭＢＳＦＮ基準信号のないシンボルでユニキャスト基準信号を送信することと、ユニキャスト基準信号によって使用されていない所与のシンボルへ、ＭＢＳＦＮ基準信号のうちの所与の１つをシフトさせることと、を含みうる。代案では、あるいは、さらに、このアルゴリズムは、例えば、所与のＭＢＳＦＮ送信を備える共有コンテンツを、複数のモバイル・エンティティにブロードキャストすることと、ＰＢＣＨ、ＳＩＢ、およびページングのうちの少なくとも１つのために使用されるＲＢでＣＲＳを送信することと、ＭＢＳＦＮ送信に参加するネットワーク・エンティティのためのページング、ＳＩＢ、およびＰＢＣＨのうちの少なくとも１つのために使用されるＲＢを識別することと、識別されたＲＢを、ＭＢＳＦＮ送信から除外することと、を含みうる。代案では、あるいは、さらに、このアルゴリズムは、例えば、ＰＢＣＨ、ＳＩＢ、およびページングのうちの少なくとも１つのために使用されるＲＢに、少なくとも１つの追加のＲＢを加えることを含みうる。少なくとも１つの追加のＲＢは、ＣＲＳ送信に専用である。代案では、あるいは、さらに、このアルゴリズムは、例えば、第１のＣＰのキャリアが、ｅＭＢＭＳ送信のために使用され、ユニキャストのためにのみＰＳＳまたはＳＳＳを送信していることに応じて、（ａ）ＰＳＳまたはＳＳＳのために、および（ｂ）ＰＭＣＨのために第１のＣＰタイプを実施することを含みうる。
【００７１】
関連する態様では、装置１４００は、オプションとして、プロセッサとしてではなくネットワーク・エンティティとして構成されている場合、少なくとも１つのプロセッサを有するプロセッサ構成要素１４１０を含みうる。この場合、プロセッサ１４１０は、バス１４１２または類似の通信カップリングによって、構成要素１４０２−１４０８と動作可能に通信しうる。プロセッサ１４１０は、電子構成要素１４０２−１４０８によって実行される処理または機能の開始およびスケジューリングを有効にしうる。
【００７２】
さらに関連する態様では、装置１４００は、ラジオ・トランシーバ構成要素１４１４を含みうる。トランシーバ１４１４の代わりに、あるいは、トランシーバ１４１４と連携して、スタンド・アロンの受信機、および／または、スタンド・アロンの送信機が使用されうる。装置１４００は、オプションとして、例えばメモリ・デバイス／構成要素１４１６のように、情報を格納するための構成要素を含みうる。コンピュータ読取可能な媒体またはメモリ構成要素１４１６が、バス１４１２等によって、装置１４００のその他の構成要素に動作可能に接続されうる。メモリ構成要素１４１６は、構成要素１４０２−１４０８、これらのサブ構成要素、またはプロセッサ１４１０、あるいは、本明細書で開示された方法の処理および挙動を有効にするためのコンピュータ読取可能命令群およびデータを格納するように適応されうる。メモリ構成要素１４１６は、電子構成要素１４０２−１４０８に関連付けられた機能を実行するための命令群を保持しうる。メモリ１４１６の外側にあるとして示されているが、構成要素１４０２−１４０８は、メモリ１４１６の内部に存在しうることが理解されるべきである。
【００７３】
本明細書に記載された実施形態のうちの１または複数の態様によれば、図１２−１３を参照して説明されたようなｅＭＢＭＳのための単一キャリア最適化のための代替デバイス／装置が提供される。図１５に示すように、ネットワーク・エンティティとして構成されうる、あるいは、ネットワーク・エンティティ内で使用するためのプロセッサまたは類似のデバイスとして構成されうる、典型的な装置１５００が提供される。例示されるように、１つの実施形態では、装置１５００は、ＳＦＮを、マルチ・ページング・ネットワークとして識別するための電子構成要素またはモジュール１５０２を備えうる。ここで、ＳＦＮは、定義された数の利用可能なサブフレームを有する。例えば、電子構成要素１５０２は、ｅＭＢＭＳ等のための単一キャリア最適化を調整するための命令群を備えたメモリおよびネットワーク・インタフェース等に接続された少なくとも１つの制御プロセッサを含みうる。電子構成要素１５０２は、ＳＦＮを、マルチ・ページング・ネットワークとして識別する手段でありうるか、この手段を含みうる。ここで、ＳＦＮは、定義された数の利用可能なサブフレームを有する。前述した手段は、アルゴリズムを実行している少なくとも１つの制御プロセッサ（例えば、図３のコントローラ／プロセッサ３４０）でありうるか、これを含みうる。このアルゴリズムは、例えば、ＳＦＮを、ユニキャスト送信のために割り当てられた第１のセットのサブフレームと、ＭＢＳＦＮ送信のために割り当てられた第２のセットのサブフレームとを有するものとして識別することと、ページング情報を、ユニキャスト送信のために割り当てられた第１のセットのサブフレームへ移動させることと、を含みうる。
【００７４】
装置１５００は、ページング情報を、利用可能なサブフレームのサブセットへ移動させるための電子構成要素１５０４を備えうる。例えば、電子構成要素１５０４は、ｅＭＢＭＳ等のための単一キャリア最適化を調整するための命令群を備えたメモリおよびネットワーク・インタフェース等に接続された少なくとも１つの制御プロセッサを含みうる。電子構成要素１５０４は、ページング情報を、利用可能なサブフレームのサブセットへ移動させる手段でありうるか、この手段を備えうる。前述した手段は、アルゴリズムを実行している少なくとも１つの制御プロセッサ（例えば、図３のコントローラ／プロセッサ３４０）でありうるか、これを含みうる。例えば、サブフレームは、０，１，２，３，４，５，６，７，８，９とラベルされうる。ここで、サブフレーム０，５は、ユニキャスト送信のために割り当てられうる一方、サブフレーム４，９は、ＭＢＳＦＮ送信のために割り当てられる。ここで、このアルゴリズムは、例えば、ページング情報をサブフレーム０，５へ移動させることを含みうる。
【００７５】
簡潔のために、装置１５００に関する詳細の残りは、これ以上詳しく述べない。しかしながら、装置１５００の残りの特徴および態様は、図１４の装置１４００に関して前述したものに実質的に類似していることが理解されるべきである。
【００７６】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７８】
本明細書の開示にしたがって記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラム可能論理デバイス、ディスクリートなゲートまたはトランジスタ・ロジック、ディスクリート・ハードウェア構成要素、または、本明細書に記載された機能を実行するように設計されたこれら任意の組み合わせ、で実現されうるか、あるいは、これらとともに実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７９】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８０】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。例えば、同軸ケーブル、光ファイバ・ケーブル、ツイスト・ペア、デジタル加入者線（ＤＳＬ）、または非一時的な無線技術を使用して、ウェブサイト、サーバ、あるいは他の遠隔ソースからソフトウェアが送信される場合、同軸ケーブル、光ファイバ・ケーブル、ツイスト・ペア、ＤＳＬ、または非一時的な無線技術は、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００８１】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［発明１］
少なくとも１つのネットワーク・エンティティによるイボルブド・マルチメディア・ブロードキャスト・マルチキャスト・サービス（ｅＭＢＭＳ）のための単一キャリア最適化のための方法であって、
ラジオ・スペクトルのサブフレームにおいて、単一周波数ネットワーク（ＭＢＳＦＮ）送信を介したマルチメディア・ブロードキャストのために、第１のセットのリソース要素（ＲＥ）を割り当てることと、ここで、各シンボルは、第１のサイクリック・プレフィクス（ＣＰ）タイプを有する前記第１のセットの各ＲＥに対応する、
ユニキャスト送信のために、第２のセットのＲＥを割り当てることと、ここで、各シンボルは、第２のＣＰタイプを有する第２のセットの各ＲＥに対応する、
前記第１のＣＰタイプと前記第２のＣＰタイプとが同じであるか否かを判定することと、
前記第１のＣＰタイプと前記第２のＣＰタイプとが同じであることに応じて、前記割り当てられた第１のセットのＲＥおよび第２のセットＲＥにしたがって、前記サブフレーム内において、前記ＭＢＳＦＮ送信と前記ユニキャスト送信とを結合することと、を備える方法。
［発明２］
前記ＭＢＳＦＮ送信と前記ユニキャスト送信とを結合することは、ユニキャスト・セル特有の基準信号（ＣＲＳ）のないシンボルでＭＢＳＦＮ信号を送信することを備える、発明１に記載の方法。
［発明３］
ユニキャストＣＲＳ信号のないシンボルでＭＢＳＦＮ基準信号を送信すること、をさらに備える発明２に記載の方法。
［発明４］
ユニキャスト基準信号によって使用されていない所与のシンボルへ、ＭＢＳＦＮ基準信号のうちの所与の１つをシフトさせること、をさらに備える発明３に記載の方法。
［発明５］
ＭＢＳＦＮ基準信号のないシンボルでユニキャスト基準信号を送信すること、をさらに備える発明２に記載の方法。
［発明６］
ＭＢＳＦＮ基準信号によって使用されていない所与のシンボルへ、ユニキャスト基準信号のうちの所与の１つをシフトさせること、をさらに備える発明５に記載の方法。
［発明７］
所与のＭＢＳＦＮ送信を備える共有コンテンツを、複数のモバイル・エンティティにブロードキャストすること、をさらに備える発明１に記載の方法。
［発明８］
物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信すること、をさらに備える発明７に記載の方法。
［発明９］
前記ＭＢＳＦＮ送信に参加するネットワーク・エンティティのためのページング、ＳＩＢ、およびＰＢＣＨのうちの少なくとも１つのために使用されるＲＢを識別することと、
前記識別されたＲＢを、前記ＭＢＳＦＮ送信から除外することと、をさらに備える発明８に記載の方法。
［発明１０］
前記ＰＢＣＨ、前記ＳＩＢ、および前記ページングのうちの少なくとも１つのために使用されるＲＢに、少なくとも１つの追加のＲＢを加えることをさらに備え、前記少なくとも１つの追加のＲＢは、ＣＲＳ送信に専用である、発明８に記載の方法。
［発明１１］
前記ブロードキャストすることは、少なくとも１つのイボルブド・ノードＢ（ｅＮＢ）から複数のユーザ機器（ＵＥ）へと、前記共有コンテンツをブロードキャストすることを備える、発明７に記載の方法。
［発明１２］
前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実施すること、をさらに備える発明１に記載の方法。
［発明１３］
イボルブド・マルチメディア・ブロードキャスト・マルチキャスト・サービス（ｅＭＢＭＳ）のための単一キャリア最適化のための装置であって、
ラジオ・スペクトルのサブフレームにおいて、単一周波数ネットワーク（ＭＢＳＦＮ）送信を介したマルチメディア・ブロードキャストのために、第１のセットのリソース要素（ＲＥ）を割り当て、ここで、各シンボルは、第１のサイクリック・プレフィクス（ＣＰ）タイプを有する前記第１のセットの各ＲＥに対応する、
ユニキャスト送信のために、第２のセットのＲＥを割り当て、ここで、各シンボルは、第２のＣＰタイプを有する第２のセットの各ＲＥに対応する、
前記第１のＣＰタイプと前記第２のＣＰタイプとが同じであるか否かを判定し、
前記第１のＣＰタイプと前記第２のＣＰタイプとが同じであることに応じて、前記割り当てられた第１のセットのＲＥと第２のセットのＲＥとにしたがって、前記サブフレーム内において、前記ＭＢＳＦＮ送信と前記ユニキャスト送信とを結合するように構成された少なくとも１つのプロセッサと、
前記少なくとも１つのプロセッサに接続されたメモリと、を備える装置。
［発明１４］
前記少なくとも１つのプロセッサは、ユニキャスト・セル特有の基準信号（ＣＲＳ）のないシンボルでＭＢＳＦＮ信号を送信することによって、前記ＭＢＳＦＮ送信と前記ユニキャスト送信とを結合する、発明１３に記載の装置。
［発明１５］
前記少なくとも１つのプロセッサは、ユニキャストＣＲＳ信号のないシンボルでＭＢＳＦＮ基準信号を送信する、発明１４に記載の装置。
［発明１６］
前記少なくとも１つのプロセッサは、ユニキャスト基準信号によって使用されていない所与のシンボルへ、ＭＢＳＦＮ基準信号のうちの所与の１つをシフトさせる、発明１５に記載の装置。
［発明１７］
前記少なくとも１つのプロセッサは、ＭＢＳＦＮ基準信号のないシンボルでユニキャスト基準信号を送信する、発明１４に記載の装置。
［発明１８］
前記少なくとも１つのプロセッサは、ＭＢＳＦＮ基準信号によって使用されていない所与のシンボルへ、ユニキャスト基準信号のうちの所与の１つをシフトさせる、発明１７に記載の装置。
［発明１９］
前記少なくとも１つのプロセッサは、所与のＭＢＳＦＮ送信を備える共有コンテンツを、複数のモバイル・エンティティにブロードキャストする、発明１３に記載の装置。
［発明２０］
前記少なくとも１つのプロセッサは、物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信する、発明１９に記載の装置。
［発明２１］
前記少なくとも１つのプロセッサは、
前記ＭＢＳＦＮ送信に参加するネットワーク・エンティティのためのページング、ＳＩＢ、およびＰＢＣＨのうちの少なくとも１つのために使用されるＲＢを識別し、
前記識別されたＲＢを、前記ＭＢＳＦＮ送信から除外する、発明２０に記載の装置。
［発明２２］
前記少なくとも１つのプロセッサは、前記ＰＢＣＨ、前記ＳＩＢ、および前記ページングのうちの少なくとも１つのために使用されるＲＢに、少なくとも１つの追加のＲＢを加え、前記少なくとも１つの追加のＲＢは、ＣＲＳ送信に専用である、発明２０に記載の装置。
［発明２３］
前記少なくとも１つのプロセッサは、前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実施する、発明１３に記載の装置。
［発明２４］
イボルブド・マルチメディア・ブロードキャスト・マルチキャスト・サービス（ｅＭＢＭＳ）のための単一キャリア最適化のための装置であって、
単一周波数ネットワーク（ＭＢＳＦＮ）送信を介したマルチメディア・ブロードキャストのために、第１のセットのリソース要素（ＲＥ）を割り当てる手段と、ここで、各シンボルは、第１のサイクリック・プレフィクス（ＣＰ）タイプを有する前記第１のセットの各ＲＥに対応する、
ユニキャスト送信のために、第２のセットのＲＥを割り当てる手段と、ここで、各シンボルは、第２のＣＰタイプを有する第２のセットの各ＲＥに対応する、
前記第１のＣＰタイプと前記第２のＣＰタイプとが同じであるか否かを判定する手段と、
前記第１のＣＰタイプと前記第２のＣＰタイプとが同じであることに応じて、前記割り当てられた第１のセットのＲＥと第２のセットのＲＥとにしたがって、ラジオ・スペクトルのサブフレーム内において、前記ＭＢＳＦＮ送信と前記ユニキャスト送信とを結合する手段と、を備える装置。
［発明２５］
ユニキャスト・セル特有の基準信号（ＣＲＳ）がないシンボルでＭＢＳＦＮ信号を送信する手段、をさらに備える発明２４に記載の装置。
［発明２６］
ユニキャストＣＲＳ信号のないシンボルでＭＢＳＦＮ基準信号を送信する手段、をさらに備える発明２５に記載の装置。
［発明２７］
ユニキャスト基準信号によって使用されていない所与のシンボルへ、ＭＢＳＦＮ基準信号のうちの所与の１つをシフトさせる手段、をさらに備える発明２６に記載の装置。
［発明２８］
ＭＢＳＦＮ基準信号のないシンボルでユニキャスト基準信号を送信する手段、をさらに備える発明２５に記載の装置。
［発明２９］
ＭＢＳＦＮ基準信号によって使用されていない所与のシンボルへ、ユニキャスト基準信号のうちの所与の１つをシフトさせる手段、をさらに備える発明２８に記載の装置。
［発明３０］
所与のＭＢＳＦＮ送信を備える共有コンテンツを、複数のモバイル・エンティティにブロードキャストする手段、をさらに備える発明２４に記載の装置。
［発明３１］
物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信する手段、をさらに備える発明３０に記載の装置。
［発明３２］
前記ＭＢＳＦＮ送信に参加するネットワーク・エンティティのためのページング、ＳＩＢ、およびＰＢＣＨのうちの少なくとも１つのために使用されるＲＢを識別する手段と、
前記識別されたＲＢを、前記ＭＢＳＦＮ送信から除外する手段と、をさらに備える発明３１に記載の装置。
［発明３３］
前記ＰＢＣＨ、前記ＳＩＢ、および前記ページングのうちの少なくとも１つのために使用されるＲＢに、少なくとも１つの追加のＲＢを加える手段をさらに備え、前記少なくとも１つの追加のＲＢは、ＣＲＳ送信に専用である、発明３１に記載の装置。
［発明３４］
前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実施する手段、をさらに備える発明２４に記載の装置。
［発明３５］
コンピュータ・プログラム製品であって、
単一周波数ネットワーク（ＭＢＳＦＮ）送信を介したマルチメディア・ブロードキャストのために、第１のセットのリソース要素（ＲＥ）を割り当てることと、ここで、各シンボルは、第１のサイクリック・プレフィクス（ＣＰ）タイプを有する前記第１のセットの各ＲＥに対応する、
ユニキャスト送信のために、第２のセットのＲＥを割り当てることと、ここで、各シンボルは、第２のＣＰタイプを有する第２のセットの各ＲＥに対応する、
前記第１のＣＰタイプと前記第２のＣＰタイプとが同じであるか否かを判定することと、
前記第１のＣＰタイプと前記第２のＣＰタイプとが同じであることに応じて、前記割り当てられた第１のセットのＲＥと第２のセットのＲＥとにしたがって、前記サブフレーム内において、前記ＭＢＳＦＮ送信と前記ユニキャスト送信とを結合することと、をコンピュータに対して実行させるためのコードを備えるコンピュータ読取可能な媒体を備える、コンピュータ・プログラム製品。
［発明３６］
前記コンピュータ読取可能な媒体はさらに、ユニキャスト・セル特有の基準信号（ＣＲＳ）がないシンボルでＭＢＳＦＮ信号を送信することを前記コンピュータに対して実行させるためのコードを備える、発明３５に記載のコンピュータ・プログラム製品。
［発明３７］
前記コンピュータ読取可能な媒体はさらに、ユニキャストＣＲＳ信号がないＭＢＳＦＮ基準信号をシンボルにおいて送信することを前記コンピュータに対して実行させるためのコードを備える、発明３６に記載のコンピュータ・プログラム製品。
［発明３８］
前記コンピュータ読取可能な媒体はさらに、ユニキャスト基準信号によって使用されていない所与のシンボルへ、ＭＢＳＦＮ基準信号のうちの所与の１つをシフトさせることを前記コンピュータに対して実行させるためのコードを備える、発明３７に記載のコンピュータ・プログラム製品。
［発明３９］
前記コンピュータ読取可能な媒体はさらに、ＭＢＳＦＮ基準信号のないシンボルでユニキャスト基準信号を送信させることを前記コンピュータに対して実行させるためのコードを備える、発明３６に記載のコンピュータ・プログラム製品。
［発明４０］
前記コンピュータ読取可能な媒体はさらに、ＭＢＳＦＮ基準信号によって使用されていない所与のシンボルへ、ユニキャスト基準信号のうちの所与の１つをシフトさせることを前記コンピュータに対して実行させるためのコードを備える、発明３９に記載のコンピュータ・プログラム製品。
［発明４１］
前記コンピュータ読取可能な媒体はさらに、所与のＭＢＳＦＮ送信を備える共有コンテンツを、複数のモバイル・エンティティにブロードキャストすることを前記コンピュータに対して実行させるためのコードを備える、発明３５に記載のコンピュータ・プログラム製品。
［発明４２］
前記コンピュータ読取可能な媒体はさらに、物理ブロードキャスト・チャネル（ＰＢＣＨ）、システム情報ブロック（ＳＩＢ）、およびページングのうちの少なくとも１つのために使用されるリソース・ブロック（ＲＢ）でＣＲＳを送信するために共有コンテンツをブロードキャストすることを前記コンピュータに対して実行させるためのコードを備える、発明４１に記載のコンピュータ・プログラム製品。
［発明４３］
前記コンピュータ読取可能な媒体はさらに、
前記ＭＢＳＦＮ送信に参加するネットワーク・エンティティのためのページング、ＳＩＢ、およびＰＢＣＨのうちの少なくとも１つのために使用されるＲＢを識別することと、
前記識別されたＲＢを、前記ＭＢＳＦＮ送信から除外することと、を前記コンピュータに対して実行させるためのコードを備える、発明４２に記載のコンピュータ・プログラム製品。
［発明４４］
前記コンピュータ読取可能な媒体はさらに、前記ＰＢＣＨ、前記ＳＩＢ、および前記ページングのうちの少なくとも１つのために使用されるＲＢに、少なくとも１つの追加のＲＢを加えることを前記コンピュータに対して実行させるためのコードを備え、
前記少なくとも１つの追加のＲＢは、ＣＲＳ送信に専用である、発明４２に記載のコンピュータ・プログラム製品。
［発明４５］
前記コンピュータ読取可能な媒体はさらに、前記第１のＣＰのキャリアが、ｅＭＢＭＳ送信のために使用され、一次同期信号（ＰＳＳ）または二次同期信号（ＳＳＳ）を送信していることに応じて、（ａ）前記ＰＳＳまたは前記ＳＳＳのために、および（ｂ）物理マルチキャスト・チャネル（ＰＭＣＨ）のために前記第１のＣＰタイプを実施することを前記コンピュータに対して実行させるためのコードを備える、発明３５に記載のコンピュータ・プログラム製品。
［発明４６］
少なくとも１つのネットワーク・エンティティによるイボルブド・マルチメディア・ブロードキャスト・マルチキャスト・サービス（ｅＭＢＭＳ）のための単一キャリア最適化のための方法であって、
単一周波数ネットワーク（ＳＦＮ）をマルチ・ページング・ネットワークとして識別することと、ここで、前記ＳＦＮは、定義された数の利用可能なサブフレームを有する、
ページング情報を、前記利用可能なサブフレームのサブセットへ移動させることと、を備える方法。
［発明４７］
前記識別することは、ユニキャスト送信のために割り当てられた第１のセットのサブフレームと、マルチメディア・ブロードキャスト・オーバ単一周波数ネットワーク（ＭＢＳＦＮ）送信のために割り当てられた第２のセットのサブフレームとを有するものとして前記ＳＦＮを識別することを備える、発明４６に記載の方法。
［発明４８］
前記移動させることは、前記ページング情報を、前記ユニキャスト送信のために割り当てられた第１のセットのサブフレームへ移動させることを備える、発明４７に記載の方法。
［発明４９］
前記サブフレームは、０，１，２，３，４，５，６，７，８，９とラベルされ、サブフレーム０，５は、前記ユニキャスト送信のために割り当てられ、サブフレーム４，９は、前記ＭＢＳＦＮ送信のために割り当てられる、発明４８に記載の方法。
［発明５０］
前記移動させることは、前記ページング情報を前記サブフレーム０，５へ移動させることを備える、発明４９に記載の方法。
［発明５１］
イボルブド・マルチメディア・ブロードキャスト・マルチキャスト・サービス（ｅＭＢＭＳ）のための単一キャリア最適化のための装置であって、
単一周波数ネットワーク（ＳＦＮ）をマルチ・ページング・ネットワークとして識別し、ここで、前記ＳＦＮは、定義された数の利用可能なサブフレームを有する、
前記ページング情報を、前記利用可能なサブフレームのサブセットへ移動させるように構成された少なくとも１つのプロセッサと、
前記少なくとも１つのプロセッサに接続されたメモリと、を備える装置。
［発明５２］
前記少なくとも１つのプロセッサは、ユニキャスト送信のために割り当てられた第１のセットのサブフレームと、マルチメディア・ブロードキャスト・オーバ単一周波数ネットワーク（ＭＢＳＦＮ）送信のために割り当てられた第２のセットのサブフレームとを有するものとして前記ＳＦＮを識別する、発明５１に記載の装置。
［発明５３］
前記少なくとも１つのプロセッサは、前記ページング情報を、前記ユニキャスト送信のために割り当てられた第１のセットのサブフレームへ移動させる、発明５２に記載の装置。
［発明５４］
前記サブフレームは、０，１，２，３，４，５，６，７，８，９とラベルされ、サブフレーム０，５は、前記ユニキャスト送信のために割り当てられ、サブフレーム４，９は、前記ＭＢＳＦＮ送信のために割り当てられる、発明５３に記載の装置。
［発明５５］
前記少なくとも１つのプロセッサは、前記ページング情報をサブフレーム０，５へ移動させる、発明５４に記載の装置。
［発明５６］
イボルブド・マルチメディア・ブロードキャスト・マルチキャスト・サービス（ｅＭＢＭＳ）のための単一キャリア最適化のための装置であって、
単一周波数ネットワーク（ＳＦＮ）をマルチ・ページング・ネットワークとして識別する手段と、ここで、前記ＳＦＮは、定義された数の利用可能なサブフレームを有する、
ページング情報を、前記利用可能なサブフレームのサブセットへ移動させる手段と、を備える装置。
［発明５７］
ユニキャスト送信のために割り当てられた第１のセットのサブフレームと、マルチメディア・ブロードキャスト・オーバ単一周波数ネットワーク（ＭＢＳＦＮ）送信のために割り当てられた第２のセットのサブフレームとを有するものとして前記ＳＦＮを識別する手段、をさらに備える発明５６に記載の装置。
［発明５８］
前記ページング情報を、前記ユニキャスト送信のために割り当てられた第１のセットのサブフレームへ移動させる手段、をさらに備える発明５７に記載の装置。
［発明５９］
前記サブフレームは、０，１，２，３，４，５，６，７，８，９とラベルされ、サブフレーム０，５は、前記ユニキャスト送信のために割り当てられ、サブフレーム４，９は、前記ＭＢＳＦＮ送信のために割り当てられる、発明５８に記載の装置。
［発明６０］
前記ページング情報をサブフレーム０，５へ移動させる手段、をさらに備える発明５９に記載の装置。
［発明６１］
コンピュータ・プログラム製品であって、
単一周波数ネットワーク（ＳＦＮ）をマルチ・ページング・ネットワークとして識別することと、ここで、前記ＳＦＮは、定義された数の利用可能なサブフレームを有する、
ページング情報を、前記利用可能なサブフレームのサブセットへ移動させることと、をコンピュータに実行させるためのコードを備えるコンピュータ読取可能な媒体を備える、コンピュータ・プログラム製品。
［発明６２］
前記コンピュータ読取可能な媒体はさらに、ユニキャスト送信のために割り当てられた第１のセットのサブフレームと、マルチメディア・ブロードキャスト・オーバ単一周波数ネットワーク（ＭＢＳＦＮ）送信のために割り当てられた第２のセットのサブフレームとを有するものとして前記ＳＦＮを識別することをコンピュータに実行させるためのコードを備える、発明６１に記載のコンピュータ・プログラム製品。
［発明６３］
前記コンピュータ読取可能な媒体はさらに、前記ページング情報を、前記ユニキャスト送信のために割り当てられた第１のセットのサブフレームへ移動させることを前記コンピュータに実行させるためのコードを備える、発明６２に記載のコンピュータ・プログラム製品。
［発明６４］
前記サブフレームは、０，１，２，３，４，５，６，７，８，９とラベルされ、サブフレーム０，５は、前記ユニキャスト送信のために割り当てられ、サブフレーム４，９は、前記ＭＢＳＦＮ送信に割り当てられる、発明６３に記載のコンピュータ・プログラム製品。
［発明６５］
前記コンピュータ読取可能な媒体はさらに、前記ページング情報を、サブフレーム０，５へ移動させることを前記コンピュータに実行させるためのコードを備える、発明６４に記載のコンピュータ・プログラム製品。
【図１】
0005714730.tif 000002
【図２】
0005714730.tif 000003
【図３】
0005714730.tif 000004
【図４Ａ】
0005714730.tif 000005
【図４Ｂ】
0005714730.tif 000006
【図５】
0005714730.tif 000007
【図６】
0005714730.tif 000008
【図７】
0005714730.tif 000009
【図８】
0005714730.tif 000010
【図９】
0005714730.tif 000011
【図１０】
0005714730.tif 000012
【図１１Ａ】
0005714730.tif 000013
【図１１Ｂ】
0005714730.tif 000014
【図１２】
0005714730.tif 000015
【図１３】
0005714730.tif 000016
【図１４】
0005714730.tif 000017
【図１５】
0005714730.tif 000018